(57)【要約】【課題】複数個のサーバを常に低温状態で冷却するのに適合するサーバキャビネット用空調装置を提供すること。【解決手段】窒素を供給する窒素供給源と、この窒素供給源に連結された供給管を介して前記供給源から窒素の供給を受ける熱交換手段を内装するサーバキャビネットと、このサーバキャビネット内に前記熱交換手段と枝管を有する導管を介して連結され、かつ、サーバを内装する複数個のサーバ収納箱と、これらのサーバ収納箱からサーバキャビネットに出た使用済み窒素を排出することができるように該サーバキャビネットに設けられた排出弁とを備えるサーバキャビネット用空調装置。【選択図】　図６
2004020082.tif 000002
【特許請求の範囲】
【請求項１】
酸素を供給する酸素供給源と、一方、窒素を供給する窒素供給源と、これらにそれぞれ連結された供給管を介して前記供給源から酸素と窒素の供給を受け、かつ、常に酸素比率が低い状態で窒素と酸素とを混合して人工空気を生成する混合手段と、この混合手段から人工空気供給管を介して内装した複数個のサーバに対して前記人工空気を受け入れる密閉状態のサーバキャビネットと、このサーバキャビネットと前記混合手段との間に還流管を介して設けられ、かつ、使用済み人工空気を内装の熱交換手段側へ案内する器材等収納室とを備えるサーバキャビネット用空調装置。
【請求項２】
請求項１に於いて、サーバキャビネット内には、冷気通過空間を介して複数個のキャビネット本体が設けられ、各キャビネット本体内には所要間隔を有して複数個のサーバが収納されていることを特徴とするサーバキャビネット用空調装置。
【請求項３】
請求項１に於いて、器材等収納室は、還流室、この還流室に流れ込んだ使用済み人工空気が通るフイルター部材と、フイルター部材を通過した清浄な人工空気が通過する空間を有し、かつ、循環用送風機が配備された送風室とから成ることを特徴とするサーバキャビネット用空調装置。
【請求項４】
酸素を供給する酸素供給源と、一方、窒素を供給する窒素供給源と、これらにそれぞれ連結された供給管を介して前記供給源から酸素と窒素の供給を受け、かつ、常に酸素比率が低い状態で窒素に酸素を混合して人工空気を生成する混合手段と、この混合手段から人工空気供給管を介して内装した複数個のサーバに対して前記人工空気を受け入れる密閉状態のサーバキャビネットと、このサーバキャビネットと前記混合手段との間に還流管を介して設けられ、かつ、使用済み人工空気を内装の熱交換手段側へ案内する器材等収納室とを備え、前記酸素供給源は電気分解器であり、この電気分解器で発生した水素をエネルギー源の一つとして利用する複合発熱機が第３供給管を介して酸素供給源に連結されていることを特徴とするサーバキャビネット用空調装置。
【請求項５】
請求項４に於いて、キャビネット本体の隣同志の対向側壁には連通口が形成されていることを特徴とするサーバキャビネット用空調装置。
【請求項６】
窒素を供給する窒素供給源と、この窒素供給源に連結された供給管を介して前記供給源から窒素の供給を受ける熱交換手段を内装するサーバキャビネットと、このサーバキャビネット内に前記熱交換手段と枝管を有する導管を介して連結され、かつ、サーバを内装する複数個のサーバ収納箱と、これらのサーバ収納箱からサーバキャビネットに出た使用済み窒素を排出することができるように該サーバキャビネットに設けられた排出弁とを備えるサーバキャビネット用空調装置。
【請求項７】
請求項６に於いて、サーバ収納箱には冷却媒体としての窒素を該サーバ収納箱から積極的にサーバキャビネットの内部空間に排出する排熱ファンが取付けられていることを特長とするサーバキャビネット用空調装置。
【請求項８】
請求項６又は請求項７に於いて、サーバキャビネットには、該サーバキャビネットから排出された排熱的窒素を回収しかつ冷却する第２の熱交換手段が連結され、この第２の熱交手段で冷却された排出済み窒素は、還流管を介して再び前記サーバキャビネットの内部空間に入り込むことを特徴とするサーバキャビネット用空調装置。
【発明の詳細な説明】
【０００１】
【発明の属する技術分野】
本発明はサーバキャビネット用空調装置に関する。
【０００２】
【従来の技術】
従来、例えば液体酸素と液体窒素を原料としてクリーンルームに清浄空気を供給する装置が提案されている（特開平１１−９４３２５）。この清浄空気供給装置は、半導体工場、病院など主として清浄な空気を供給するに相応しい場に設置されている。したがって、クリーンルームと称される室内は普通一般に大きく、クリーンルームは、室内の天上、床面、天上の内壁面に沿って架け渡された大掛かりなフイルター部材などから構成されている。そして、クリーンルームの屋外には、液体酸素を供給する手段や液体窒素を供給する手段がそれぞれ配設されている。また、これらの供給手段から供給される液体酸素と液体窒素を原料として人工空気を製造する混合器も屋外に設置されている。さらに、混合器、供給ダクトを、クリーンルームの天上空間、大掛かりなフイルター部材、クリーンルームの大きな室内空間、床面の排出口、排出ダクト等を順次通る清浄な空気は、屋外に配設された人工空気循環手段、循環送風機などによって循環的に還流していた。
【０００３】
上記構成の清浄空気供給装置は、清浄な空気を供給するに相応しい場に適合するが、例えば場を変えて複数個のサーバ（電子応用機器）を常に低温状態で冷却するには、クリーンルームが大き過ぎて冷却効果を期待することができないという問題点があった。また、概して整備が大掛かりであり、また循環送風機ないし循環手段を屋外に配置しなければならないので、広い設置場所を必要とすると共に設置コストがかかるという問題点があった。さらに、液体酸素を供給する手段が液体酸素タンクなので、ランニングコストがかかる、人工空気を生成する際に発生する物質を基にしてエネルギーに利用することができない等の問題点もあった。
【０００４】
【発明が解決しようとする課題】
本発明は、以上のような従来の実施例が有する問題点に鑑み、第１の目的は、複数個のサーバ（電子応用機器）を常に低温状態で冷却するのに適合するサーバキャビネット用空調装置を提供することである。第２の目的は、設置スペースを有効的に活用することができること、設置コストないしランニングコストの低減化を図ることができることである。第３の目的は、合理的構成により、サーバに対する冷却効果を高めることができることである。その他の目的は、結露や静電気が発生しないこと、消火設備を設ける必要性がないことなどである。
【０００５】
【課題を解決するための手段】
本発明のサーバキャビネット用空調装置は、酸素を供給する酸素供給源と、一方、窒素を供給する窒素供給源と、これらにそれぞれ連結された供給管を介して前記供給源から酸素と窒素の供給を受け、かつ、常に酸素比率が低い状態で窒素と酸素とを混合して人工空気を生成する混合手段と、この混合手段から人工空気供給管を介して内装した複数個のサーバに対して前記人工空気を受け入れる密閉状態のサーバキャビネットと、このサーバキャビネットと前記混合手段との間に還流管を介して設けられ、かつ、使用済み人工空気を内装の熱交換手段側へ案内する器材等収納室とを備えることを特徴とする。
【０００６】
また、本発明のサーバキャビネット用空調装置は、酸素を供給する酸素供給源と、一方、窒素を供給する窒素供給源と、これらにそれぞれ連結された供給管を介して前記供給源から酸素と窒素の供給を受け、かつ、常に酸素比率が低い状態で窒素に酸素を混合して人工空気を生成する混合手段と、この混合手段から人工空気供給管を介して内装した複数個のサーバに対して前記人工空気を受け入れる密閉状態のサーバキャビネットと、このサーバキャビネットと前記混合手段との間に還流管を介して設けられ、かつ、使用済み人工空気を内装の熱交換手段側へ案内する器材等収納室とを備え、前記酸素供給源は電気分解器であり、この電気分解器で発生した水素をエネルギー源の一つとして利用する複合発熱機が第３供給管を介して酸素供給源に連結されていることを特徴とする。
【０００７】
さらに、本発明のサーバキャビネット用空調装置は、窒素を供給する窒素供給源と、この窒素供給源に連結された供給管を介して前記供給源から窒素の供給を受ける熱交換手段を内装するサーバキャビネットと、このサーバキャビネット内に前記熱交換手段と枝管を有する導管を介して連結され、かつ、サーバを内装する複数個のサーバ収納箱と、これらのサーバ収納箱からサーバキャビネットに出た使用済み窒素を排出することができるように該サーバキャビネットに設けられた排出弁とを備えることを特徴とする。
【０００８】
【発明の実施の形態】
図１及び図３を参照にして第１実施例を説明する。この第１実施例は、冷却媒体用の供給源が二系統である。すなわち、サーバキャビネット用空調装置Ｘは、基本的には酸素ａと窒素ｂとを混合手段２１を介して混合し、酸素ａ比率の少ない人工空気ｃをつくる。次に人工空気ｃをサーバキャビネット２５に供給する。サーバキャビネットには、複数個のキャビネット本体を介して多数のサーバ（コンピュータ）２６が収納されている。次にサーバキャビネット内を通過した人工空気ｃを還流室２に戻し、フイルター３を通して清浄化した後前記混合手段２１に送り、サーバキャビネット内の温度上昇を防止するために再利用する。そこで、第１実施例の特定要件について説明する。
【０００９】
１は密閉化された器材等の収納室である。この器材等収納室１は横型或いは水平層流方式に形成され、本実施例では、図１を基準にすると、例えば所要空間を有する還流室２と、この還流室２と垂直状態のフイルター部材３を介して横に連通する送風室４と、この送風室４に横に連通する気化室５とから成る。なお、気化室５は、必ずしも器材等収納室１に一体的に設ける必要はない。
【００１０】
しかして、前記還流室２の上壁２ａには、使用済み人工空気用の戻り口６が形成されている。また還流室２の左壁２ｂには、排出弁７が取付けられている。戻り口６からは還流管８から使用済み人工空気が流れ込む。排出弁７は還流室２も含め、器材等収納室１内の気体が所定圧以上に達した時に外部に使用済み気体（人工空気）ｃを排出する。
【００１１】
また前記フイルター部材３は、器材等収納室１に取り外し可能に配設されており、本実施例では、ＨＥＰＡフイルター（超高性能フイルター）が用いられている。したがって、フイルター部材３は、気体中の微細パーティクルを除去することができる。
【００１２】
また前記送風室４の上壁４ａには酸素供給口１２が形成され、該酸素供給口１２には酸素供給源１０で生成された酸素が第１供給管１１を介して流れ込む。送風室４の中央部には気体循環用の送風機１３が固定的に配設され、その噴出し口１３ａは気化室５の方を指向している。
【００１３】
したがって、送風室４は、（１）フイルター部材３を通過した清浄な人工空気が通過する空間であり、（２）また流れ込んだ酸素を清浄な人工空気と共に気化室５へ送り込む空間でもある。
【００１４】
ところで、前記酸素供給源１０は、酸素を供給する液体酸素タンクでも良いが、本実施例ではコストの低減化を図るために、還流室２の外に設けられた電気分解器を採用している。この電気分解器１０は、容器内の水溶液を電気分解により「水素」と「酸素」に区分けするが、本実施例では、水素は適宜に使用することにし、分解した酸素を前述した第１供給管１１を介して所定量づつ送風室４に供給する。
【００１５】
１５は還流室２の外に設けられた液体窒素供給源（例えば液体窒素を収納したボンベ）である。この液体窒素供給源１５は第２供給管１６を介して気化室５の気化手段１７に繋がっている。気化室５には第２供給管１６の後端部に連結され、かつ、蛇行状に折り曲げ形成された気化手段（熱交換器）１７が適宜に内装されている。
【００１６】
１９は酸素ａないし清浄な使用済み人工空気を混合手段２１に導く第１案内管、一方、２０は気化器１７で所望の状態に気化された窒素ｂを混合手段２１に導く第２案内管である。
【００１７】
前記混合手段２１の一次側には第１案内管１９及び第２案内管２０がそれぞれ連結されているので、混合手段（混合器）２１内には気化状態の酸素と窒素が流れ込んでくる。本実施例では、この混合器２１内の酸素ａと窒素ｂとの混合比率は所定の比率（例えば「酸素１」対「窒素４」）になるように調整されている。なお、気化室５の右側壁５ａには、第１案内管１９用の取付け口１８が設けられている。
【００１８】
２３は低温でかつ酸素比率の少ない混合気体ｃ（ここでは「人工空気」と称する。）を室内Ｙに設置されたサーバキャビネット２５に供給する人工空気供給管である。サーバキャビネット２５は密閉状態に形成されている。その形態はロッカー型或いは棚型である。サーバキャビネット２５はキャビネット本体内の支持部材を介して複数個のサーバ（電子応用機器）２６を並列状態に収納する。
【００１９】
そこで、本実施例の人工空気供給管２３は、本体管２３ａと、複数本の枝管２３ｂとから成り、前記枝管２３ｂは所定間隔を有して棚状サーバキャビネット２５の下部にそれぞれ連結されている。
図２はサーバキャビネットの一例を示す外観説明図、図３はサーバキャビネットの一部切欠の概略断面説明図である。図２及び図３を参照にしてサーバキャビネット２５の構造を説明する。
【００２０】
３１は室内Ｙに設置された少なくとも一つのサーバキャビネット２５を形成する複数個（本実施例では５個）のキャビネット本体で、これらのキャビネット本体３１，３１…は、並列状態に冷気通過空間３３を介してそれぞれ一体的に形成されている。前述したヘッド型の還流管（還流用ダクト）８は、サーバキャビネット２５の上壁に横設され、一方、人工空気供給管（供給ダクト）２３の枝管２３ｂは、サーバキャビネット２５の下部前壁に形成された複数個の吸込み口３２にそれぞれ取付けられている。
【００２１】
３３は各キャビネット本体３１，３１の対向側壁３４，３４の間に形成された複数個の冷気通過空間である。これらの冷気通過空間３３，３３は、前記対向側壁３４，３４の下部にそれぞれ形成された各連通口３５，３５などを介してサーバ収納空間３６と連通している。各キャビネット本体３１，３１…のサーバ収納空間３６は、それらの上壁にそれぞれ形成された排出口３７，３７…を介して還流管８と連通している。
【００２２】
したがって、本実施例では、人工空気供給管（供給ダクト）２３の枝管２３ｂから各キャビネット本体３１，３１…の各サーバ収納空間３６に流れ込んだ人工空気ｃは、各連通口３５，３５、各排出口３７，３７…などを介して還流管８へと流れていく。
【００２３】
ところで、各キャビネット本体３１，３１…の側壁（例えば対向側壁３４，３４）は、放熱機能を高めるために、本実施例ではコルゲート板で形成されている。また、各キャビネット本体３１，３１…の前面には、それぞれ前扉３８が枢着されている。そして、各前扉３８をそれぞれ開けると、各内部には、複数個（例えば５個）のサーバ２６が支持部材４０を介して収納されている。つまり、複数個のコンピュータ（電子応用機器）２６は、これらの支持部材４０に所要間隔を有してそれぞれ支持されている。
【００２４】
なお、４２は各冷気通過空間３３，３３…の適宜箇所に配設された火災報知器で、これらの火災報知器４２は、図示しない配線を介して制御手段（火災報知制御弁など）に接続しているが、本実施例の必要な要件ではない。
【００２５】
上記構成に於いて、まず酸素供給源１０によって生成された酸素ａは、第１供給管１１を介して器材等収納室１の送風室４に送られる。一方、液体窒素供給源１５から供給された非常に低温の窒素ｂ（ここではタンクから出ると多少気化が始まっている）が第２供給管１６を介して気化室５に入り込み、気化手段１７により一層に気化される。
【００２６】
次に送風室４に入り込んだ酸素ａは、送風機１３により第１案内管１９を介して混合手段２１側に流れ込む。一方、気化手段１７により一層に気化した窒素ｂは膨張しながら第２案内管２０を介して混合手段２１に流れ込む。この時、混合手段２１内の酸素ａと窒素ｂの混合比率は、略所定の比率（例えば１：４の割合）に調整されている。
【００２７】
次に混合手段２１で生成された人工空気ｃは、人工空気供給管２３を通ってサーバキャビネット２５の各サーバ収納空間３６に流れ込む。これにより複数個のサーバ２６は冷却される。各サーバ収納空間３６に流れ込んだ冷たい人工空気ｃは、各キャビネット本体３１，３１の冷気通過空間３３，３３及び排出口３７，３７…を通過して上方の還流管８へと流れる。還流管８に流れた使用済み人工空気ｃは、還流室２に戻り、図示するようにフイルター３を通過して清浄化される。そして、送風室４に流れ込んだ酸素ａと合流して再び混合手段２１に送くられる。
【００２８】
なお、器材等収納室１内には使用済み人工空気ｃが循環して合流することから、気体が余る（内圧が高まる）状態となる。このような場合には排出弁７が作動して適度な内圧に調整される。また、各キャビネット本体３１，３１の何れか一つの温度が著しく高くなった場合（火災の危険の恐れがある場合）には、火災報知器４２がそれを検知し、制御手段が作動する。
【００２９】
【実施例】
第１実施例では、図２で示すように室内Ｙに設置されたサーバキャビネット２５は一つであるが、同様のものを複数個（例えば３個）設置しても良い。サーバキャビネット２５が複数個の場合には、それぞれのサーバキャビネットは器材等収納室１側の還流管８並びに人工空気供給管２３に適宜に連結される。
次にこの欄では、本発明の第２実施例〜第４実施例について説明する。なお、第２実施例以降の説明にあたって、第１実施例と同一又は同様（機能が同一）の部分には、同一又は同様の符号を付し、重複する説明を省略する。
【００３０】
図４は第１実施例の変形例（ここでは「第２実施例」とする。）である。第１実施例では酸素供給源１０で生成された酸素ａが第１供給管１１を介して器材等収納室１の送風室４に流れ込む。しかし、図４で示すように、供給管１１Ａを直接混合手段２１に連結しても良い。この場合酸素供給源１０で生成された酸素ａの供給量を調整する調整弁４５が供給管１１Ａに設けられている。要は、酸素供給源１０で生成された酸素ａは、器材等収納室１に間接的に供給するか、又は混合手段２１に直接的に供給するか何れでも良い。
【００３１】
図５は、本発明の第３実施例を示す。この第３実施例は、人工空気を生成する際に発生する物質をエネルギー源の一つに利用することを目的とし、第１実施例に新たな構成要件を加味している。すなわち、５０は酸素供給源１０Ａから発生する水素ｄをエネルギー源の一つとして利用する複合発熱機で、この複合発熱機５０は第３供給管５１を介して酸素供給源１０Ａに連結されている。
【００３２】
なお、酸素供給源１０Ａは、還流室２の外に設けられた電気分解器が用いられている。また、前記複合発熱機５０から発生した排熱ｅは、パイプ状或いは線状の伝熱手段５２を介して気化手段１７に伝えられる。
【００３３】
図６及び図７は、本発明の第４実施例を示す。この第４実施例と第１実施例との相違点は、次の通りである。
【００３４】
（ａ）第１実施例は、冷却媒体用の供給源が二系統（窒素と酸素）であるのに対し、この実施例のそれは一系列（窒素）である。もちろん、第１実施例のように二系統でも良いが、少なくとも窒素供給源１５Ｂを利用している。
【００３５】
（ｂ）したがって、第１実施例のように、人工空気を生成する混合手段２１が発明の必須要件ではない。
【００３６】
（ｃ）また第１実施例では熱交換手段１７が器材等収納室１に内設されているのに対し、この実施例ではサーバキャビネット２５Ｂに内設されている。したがって、サーバキャビネット２５Ｂは、窒素供給源１５Ｂとの間に介在する供給管１６Ｂを介して窒素供給源１５Ｂ内で自然に気化した非常に低温の窒素ｂを、いわばダイレクト（熱交換手段１７Ｂ）に受け入れる。したがって、この実施例では、第１実施例の器材等収納室１が発明の必須要件ではない。
【００３７】
（ｄ）また第１実施例のサーバキャビネット２５には、冷気通過空間を介して複数個のキャビネット本体が設けられ、各キャビネット本体内に複数個のサーバ１６が所要間隔を有して収納されているのに対し、この実施例のサーバキャビネット２５Ｂは、必ずしも複数個のキャビネット本体を構成要件としない反面、該サーバキャビネット２５Ｂ内には、熱交換手段１７Ｂと枝管を有する導管６０を介して連結され、かつ、サーバ２６Ｂを内装する複数個のサーバ収納箱３１Ｂが設けられている。しかして、サーバ収納箱３１Ｂは、本実施例では所要間隔を有して上下方向に合計５個設けられ、各サーバ収納箱３１Ｂの一端部には、冷却媒体としての窒素をサーバ収納箱から積極的にサーバキャビネット２５Ｂの内部空間に排出する排熱ファン６１が取付けられている。
【００３８】
（ｅ）さらに、第１実施例ではサーバキャビネット２５から排出された排出済み窒素は、還流管８を介して器材等収納室１の還流室２に戻されるの対し、この実施例では、サーバキャビネット２５Ｂには、該サーバキャビネットから排出された排熱的窒素を回収し、かつ、冷却する第２熱交換手段６２が設けられている。しかして、第２熱交換手段６２は、サーバキャビネット２５Ｂに設けられた排出弁７Ｂ及び排気管６３を介して該サーバキャビネット２５Ｂに連結され、しかも、この第２の熱交手段６２で冷却された排出済み窒素は、第２熱交換手段６２とサーバキャビネット２５Ｂの間に介在する還流管８Ｂを介して再びサーバキャビネット２５Ｂの内部空間に流れ込む。
【００３９】
したがって、この実施例のサーバキャビネット用空調装置Ｘは、窒素を供給する窒素供給源１５Ｂと、この窒素供給源１５Ｂに連結された供給管１６Ｂを介して前記供給源１５Ｂから窒素の供給を受ける熱交換手段１７Ｂを内装するサーバキャビネット２５Ｂと、このサーバキャビネット２５Ｂ内に前記熱交換手段１７Ｂと複数の枝管を有する導管６０を介して連結され、かつ、サーバ２６Ｂを内装する複数個のサーバ収納箱３１Ｂと、これらのサーバ収納箱３１Ｂから該サーバキャビネット２５Ｂに出た使用済み窒素を排出することができるように該サーバキャビネットに設けられた排出弁７Ｂとから成る。
【００４０】
そして、望ましくは、前記各サーバ収納箱３１Ｂには冷却媒体としての窒素を該サーバ収納箱から積極的にサーバキャビネット２５Ｂの内部空間に排出する排熱ファン６１がそれぞれ取付けられている。また、サーバキャビネット２５Ｂには、該サーバキャビネットから排出された排熱的窒素を回収し、かつ、冷却する第２熱交換手段６２が直接又は間接的に連結され、この第２の熱交手段６２で冷却された排出済み窒素は、還流管８Ｂを介して再びサーバキャビネット２５Ｂの内部空間に入り込み、冷却媒体として再利用される。
【００４１】
ところで、窒素供給源１５Ｂ、すなわち、ボンベに充填された液体窒素は、普通一般に−１９６度程度であり、また自然に気化した窒素の体積は温度上昇に伴い最大で８００倍に膨張する。この実施例では、窒素供給源１５Ｂで自然に気化した窒素を真空パイプである供給管１６Ｂを経由してサーバキャビネット２５Ｂに内装された第１熱交換手段１７Ｂに入れる。そして、この第１の熱交換手段１７Ｂ内を経由中に膨張を重ねる窒素を、導管６０を介して該導管６０にそれぞれ連結する複数個のサーバ収納箱３１Ｂ内に案内するから、各サーバ収納箱３１Ｂ内にそれぞれ収納されたサーバ２６Ｂは非常に効率良く冷やされる。
【００４２】
しかも、サーバ収納箱３１Ｂから排出された使用済み窒素は、サーバキャビネット２５Ｂ内の第１熱交換手段１７Ｂの外壁面で再び冷却される。しかし、窒素は第１熱交換手段１７Ｂ内の温度が上昇することによって前述した８００倍まで膨張するから、サーバ収納箱３１Ｂ内の気圧の上昇を招くことになる。そこで、サーバキャビネット２５Ｂ内の気圧が一定の数値に達した時は、排出弁７Ｂでサーバキャビネット２５Ｂの外に放出される。本実施例では、前記排出弁７Ｂに排気管６３を介して第２の熱交換手段６２が設けられているから、排出された窒素は該第２熱交換手段６２により冷却され、真空パイプとしての還流管８Ｂを介してサーバキャビネット２５Ｂ内に入り込むから、使用済み窒素を循環的に使用することができる。
【００４３】
【発明の効果】
以上の説明から明らかなように、本発明にあっては、次に列挙するような効果がある。
（１）複数個のサーバを常に低温状態で冷却するのに適合するサーバキャビネット用空調装置を提供することができる。
（２）設置スペースを有効的に活用することができる。また設置コストも安価である。
（３）使用済み窒素を循環的に使用することができるから、ランニングコストの低減化を図ることができる。
（４）各キャビネット本体又は各サーバ収納箱内の冷気が同一なので、特定の内部空間のみ温度が高くなるという事態を防止することができる。またサーバに対する冷却効果を高めることができる。
（５）窒素が主であるから、又は窒素のみを利用しているから、結露や静電気が発生しない（それ故に、サーバにゴミが付着しない）と共に、火災が起きる危険性が極めて少ないので、消火設備を設ける必要性もない。
（６）第１実施例〜第３実施例の場合には、サーバキャビネット内を常にクリーンな状態にすることができる。また第３実施例の場合には、人工空気を生成する際に発生する物質をエネルギー源として活用することができる。さらに、第４実施例の場合には、他の実施例と比較して設備をコンパクト化できる。
【図面の簡単な説明】
図１乃至図３は本発明の第１実施例を示す各説明図。図４は本発明の第２実施例を示す説明図。図５は本発明の第３実施例を示す説明図。図６及び図７は本発明の第４実施例を示す各説明図
【図１】本発明の第１実施例を示す模式的な説明図。
【図２】本発明の要部（サーバキャビネット）の斜視図。
【図３】本発明の要部（サーバキャビネット）の一部を切欠等した概略断面説明図。
【図４】本発明の第２実施例の図１と同様な説明図。
【図５】本発明の第３実施例を示す模式的な説明図。
【図６】本発明の第４実施例を示す模式的な説明図。
【図７】要部の概略説明図。
【符号の説明】
Ｘ…空調装置、Ｙ…室内、１…器材等収納室、２…還流室、３…フイルター部材、４…送風室、５…気化室、６…戻り口、７，７Ｂ…排出弁、８，８Ｂ…還流管、１０…酸素供給源、１１，１１Ａ…第１供給管、１３…送風機、１５，１５Ｂ…窒素供給源、１６…第２供給管、１６Ｂ…供給管、１７，１７Ｂ…熱交換手段、１９…第１案内管、２０…第２案内管、２１…混合手段、２３…人工空気供給管、２５，２５Ｂ…サーバキャビネット、２６，２６Ｂ…サーバ、３１…キャビネット本体、３１Ｂ…サーバ収納箱、３３…冷気通過空間、３４…対向側壁、３５…連通口、３６…サーバ収納空間、４０…支持部材、５０…複合発熱機、５１…第３供給管、５２…伝熱手段、６０…導管、６１…排熱ファン、６２…第２熱交換手段、６３…排気管、ａ…酸素、ｂ…窒素、ｃ…人工空気、ｄ…水素、ｅ…排熱。
【図１】
2004020082.tif 000003
【図２】
2004020082.tif 000004
【図３】
2004020082.tif 000005
【図４】
2004020082.tif 000006
【図５】
2004020082.tif 000007
【図６】
2004020082.tif 000008
【図７】
2004020082.tif 000009